(57)【要約】【課題】積雪荷重で前枠が落下することを防止できると共に、前枠を垂木に簡単に取付けできる簡易屋根とする。【解決手段】前枠１に垂木取付部１ｃと支持突部１ｄを設け、垂木３には前枠取付部３ａと支持凹部３ｂを形成し、その前枠取付部３ａを垂木取付部１ｃに載置してねじ８で連結すると共に、前記支持突部１ｄが支持凹部３ｂに接することで前枠１の回転変位を阻止するようにし、積雪荷重で前枠１が落下することを防止できると共に、ねじ８を螺合するだけで前枠１を垂木３に簡単に取付けできるようにする。【選択図】図６
2008231871.tif 000002
【特許請求の範囲】
【請求項１】
前枠と後枠と垂木に亘って屋根板を取付けた簡易屋根であって、
前記前枠は、雨樋部を有すると共に、垂木取付部と、この垂木取付部よりも上方に設けた係合部を有し、
前記垂木は、前枠取付部と、この前枠取付部よりも上方に設けた被係合部を有し、
前記垂木取付部と前枠取付部がねじで固着して連結し、前記係合部が被係合部に係合することで前記連結部を支点として前枠が下方に向けて回転変位することを阻止するようにしたことを特徴とする簡易屋根。
【請求項２】
被係合部の係合部が係合する面を、垂木長手方向と直角に対して斜めの傾斜面とした請求項１記載の簡易屋根。
【請求項３】
前枠は、本体部の前面側に雨樋部を有し、この本体部の後面側下部に垂木取付部を、後面よりも後方に向けて横向きに突出して有すると共に、前記本体部の後面側上部に支持突部を上向きに有して係合部とし、
垂木は、その下面が前枠取付部で、被係合部は下向きに開口した略コ字形状の支持凹部で、
前記垂木取付部に前枠取付部を載置し、その垂木取付部の下方から上向きにねじを螺合するようにした請求項１又は２記載の簡易屋根。
【請求項４】
前枠は、屋根板支持片を有し、この屋根板支持片の垂木連結部分の上部を切断して除去し、その残存した部分を支持突部とした請求項３記載の簡易屋根。
【発明の詳細な説明】
【技術分野】
【０００１】
本発明は、テラス、カーポート、サンルーム等に用いる簡易屋根に関する。
【背景技術】
【０００２】
従来、テラス等に用いる簡易屋根としては種々のものが提案されている。
例えば、特許文献１に開示されたように、後枠と前枠と複数の垂木とに亘って屋根板を取付けた簡易屋根が提案されている。
この簡易屋根は、後枠を建物躯体に固着して取付けると共に、垂木を支柱に連結することでテラスとしている。
【特許文献１】実開昭５９−１２０２０１号公報
【発明の開示】
【発明が解決しようとする課題】
【０００３】
前述した従来の簡易屋根の前枠は雨樋部を有し、屋根板に沿って流れ落ちた雨水等を雨樋部で集水して排水するようにしてある。
このために、降雪時には前枠の雨樋部に雪が積もり、その積雪荷重で前枠に下向きの力が作用するので、その下向きの力が大きいと前枠の垂木取付部が破損して前枠が垂木から外れて落下する恐れがある。
【０００４】
前述した積雪荷重による前枠の落下を防止するために、前述した従来の簡易屋根においては、前枠の後面に一対の取付横片を設け、この一対の取付横片を垂木の上下面に接すると共に、ボルトを挿通してナットを締め付けることで前枠を垂木に強固に取付け、前枠に大きな下向き力が作用しても前枠の垂木取付部が破損することがないようにしている。
しかし、前述の従来の簡易屋根は、前枠を垂木に取付ける部分の形状が複雑であるし、ボルトを下の取付横片から垂木を貫通して上の取付横片に挿通し、そのボルトにナットを螺合して締め付けて前枠を垂木に取付けるので、その前枠の取付け作業が面倒である。
【０００５】
本発明の目的は、積雪荷重による前枠の落下を防止できると共に、前枠を垂木に簡単に取付けできるようにした簡易屋根を提供することである。
【課題を解決するための手段】
【０００６】
本発明は、前枠と後枠と垂木に亘って屋根板を取付けた簡易屋根であって、
前記前枠は、雨樋部を有すると共に、垂木取付部と、この垂木取付部よりも上方に設けた係合部を有し、
前記垂木は、前枠取付部と、この前枠取付部よりも上方に設けた被係合部を有し、
前記垂木取付部と前枠取付部がねじで固着して連結し、前記係合部が被係合部に係合することで前記連結部を支点として前枠が下方に向けて回転変位することを阻止するようにしたことを特徴とする簡易屋根である。
【０００７】
本発明においては、被係合部の係合部が係合する面を、垂木長手方向と直角に対して斜めの傾斜面とすることができる。
このようにすれば、係合部が被係合部の面に係合した時に、その面に沿って滑りにくいので、前枠の回転変位を確実に阻止できる。
【０００８】
本発明においては、前枠は、本体部の前面側に雨樋部を有し、この本体部の後面側下部に垂木取付部を、後面よりも後方に向けて横向きに突出して有すると共に、前記本体部の後面側上部に支持突部を上向きに有して係合部とし、
垂木は、その下面が前枠取付部で、被係合部は下向きに開口した略コ字形状の支持凹部で、
前記垂木取付部に前枠取付部を載置し、その垂木取付部の下方から上向きにねじを螺合するようにできる。
このようにすれば、前枠の垂木取付部と垂木の前枠取付部をねじで簡単に連結することができる。
【０００９】
本発明においては、前枠は、屋根板支持片を有し、この屋根板支持片の垂木連結部分の上部を切断して除去し、その残存した部分を支持突部とすることができる。
このようにすれば、前枠の屋根板支持片を支持突部として利用できるから、その支持突部を特別に設ける必要がない。
【発明の効果】
【００１０】
本発明によれば、前枠の雨樋部に積もった雪の積雪荷重によって下方に向けて回転変位すると、係合部が垂木の被係合部に係合して回転変位を阻止するので、前枠のねじによる連結部が破損することがない。
したがって、積雪荷重による前枠の落下を防止できる。
また、前枠の垂木取付部と垂木の前枠取付部をねじで連結するだけであるから、前枠を垂木に簡単に取付けできる。
【発明を実施するための最良の形態】
【００１１】
図１と図２に示すように、前枠１と後枠２と複数の垂木３とに亘って屋根板４を取付けて簡易屋根としてある。この実施の形態では左右の側枠５を備えている。
前記簡易屋根は、その後枠２を建物躯体６を固着して取付けると共に、前枠１を支柱７に連結して取付けることで、テラスとしてある。
【００１２】
前記前枠１と垂木３の連結について図３〜図７を参照して説明する。
前記前枠１は本体部１ａと、この本体部１ａの前面側に設けた雨樋部１ｂを有し、その本体部１ａは垂木取付部１ｃと係合部、例えば支持突部１ｄを備え、前記支持突部１ｄは垂木取付部１ｃよりも上方に位置している。
前記垂木３は、前枠取付部３ａと被係合部、例えば支持凹部３ｂと屋根板支持部３ｃを有し、前記前枠取付部３ａが最も下方で、屋根板支持部３ｃが最も上方で、支持凹部３ｂは上下中間で、前枠取付部３ａよりも上方で、かつ屋根板支持部３ｃよりも下方に位置している。
前述の説明では、前記係合部を上方に突出した支持突部１ｄとし、被係合部を下方に開口した支持凹部３ｂとしたが、係合部を上方に開口した凹部とすると共に、被係合部を下方に突出した突部としても良い。
【００１３】
前記前枠１の垂木取付部１ｃと垂木３の前枠取付部３ａをねじ８で固着して前枠１と垂木３を連結し、前記前枠１の支持突部１ｄを垂木３の支持凹部３ｂ内に挿入する。
このようであるから、雨樋部１ｂに積もった雪の積雪荷重で前枠１に大きな下向きの力Ｆが作用すると、前枠１はねじ８による連結部を支点として矢印ａで示す方向に回転変位し、図６に示すように支持突部１ｄが支持凹部３ｂに接（係合）して前枠の回転変位を阻止する。
したがって、前枠１が垂木３から外れることがなく、前枠１が積雪荷重で落下することを防止することができる。
【００１４】
また、支持突部１ｄの前後寸法（幅）は支持凹部３ｂの前後寸法（前後内面間の幅）よりも小さく、その支持突部１ｄを支持凹部３ｂ内に挿入すれば良いので、ねじ８を螺合するだけで前枠１と垂木３を連結でき、前枠１を垂木３に簡単に取付けできる。
なお、前記支持突部１ｄと支持凹部３ｂの前後寸法を同一とし、支持突部１ｄを支持凹部３ｂ内に隙間なく押し込むようにしても良い。
要するに、前枠１が回転変位した時に支持突部１ｄが支持凹部３ｂに接して前枠１が回転変位方向に動かないように支持する。
【００１５】
前記支持凹部３ｂの支持突部１ｄが接する面９は、垂木３の長手方向と直角に対して斜めの傾斜面（下部が上部よりも後側寄りとなる傾斜面）とすることが好ましい。
このようにすれば、支持突部１ｄが面９に接した時に滑りにくいので、前述の前枠１の回転変位をしっかりと阻止できる。
前記面９は、支持凹部３ｂの前枠側の縦内面である。
【００１６】
前記前枠１と垂木３の連結の好ましい形態について説明する。
前記支持突部１ｄは本体部１ａの後面側上部に上向きに設けてあると共に、垂木取付部１ｃは本体部１ａの後面側下部に、後面よりも後方（後枠２側）に横向きに突出して設けてある。
前記前枠取付部３ａは垂木３の下面で、支持凹部３ｂは下向きに開口した略コ字形状である。
そして、支持突部１ｄを支持凹部３ｂに挿入すると共に、垂木取付部１ｃに前枠取付部３ａを載置し、ねじ８を垂木支持部１ｃの下から上に向けて前枠取付部３ａに螺合して固着する。
このようであるから、ねじ８を螺合し易く、前枠１を垂木３により一層簡単に取付けできる。
【００１７】
前記前枠１、垂木３の具体形状を説明する。
前記前枠１の本体部１ａは、上面板１０と下面板１１と前面板１２と後面板１３で矩形中空断面形状の長尺材で、その前面板１２の上部には鈎形状の屋根板押え板１４が後方に向けて設けられ、後面板１３の上部には屋根板支持片１５が前方に向けて設けてある。
前記屋根板支持片１５における垂木連結部分の上部分を切断して除去し、残った部分１５ａを前述の支持突部１ｄとしてある。
このようであるから、支持突部１ｄを特別に設ける必要がない。
前記後面板１３の下部に横板１６が後方に向けて一体的に設けてあり、この横板１６に孔１７を形成することで前記垂木取付部１ｃとしてある。
【００１８】
前記垂木３は下面板３０と一対の側面板３１と中間横板３２で矩形中空の下部３３と、前記中間横板３２に設けた立上り板３４と、その立上り板３４に設けた上面板３５を備え、中間横板３２と上面板３５で左右に開放した凹陥部３６を形成している。この凹陥部３６が前述の屋根板支持部３ｃである。
前記下面板３０にねじ孔３７を形成して前記前枠取付部３ａとしてある。
前記下面板３０と一対の側面板３１の長手方向一端寄り部分を、一対の側面板３１の上方部分３１ａを残して切断して除去し、その残存した上方部分３１ａに切欠き３８を加工して前記支持凹部３ｂとしてある。
【００１９】
そして、前枠１の屋根板支持片１５の残った部分１５ａを切欠き３８に挿入すると共に、垂木３の下面板３０を横板１６に載置し、ねじ８を孔１７を挿通してねじ孔３７に螺合する。
これによって、垂木３の下面板３０、側面板３１の切断した端面が前枠１の後面板１３に接すると共に、垂木３の上面板３５が屋根板押え板１４に接する。
【００２０】
前記支持凹部３ｂの支持突部１ｄが接する面９をほぼ鉤形状とし、前記支持突部１ｄの前記面９に接する部分を鉤形状とし、その鉤形状部分が鉤形状の面９に嵌まり合うようにして係合するようにしても良い。
【００２１】
前記屋根板４は図３、図４に示すように、垂木３の左右端縁が凹陥部３６内に入り込み、上下のシール材２０，２１で水密してある。
前記屋根板４の前端縁は前枠１の屋根板押え板１４の下面に接すると共に、屋根板支持片１５との間を下シール材２２で水密している。
前述の垂木３は下部３３に立上り板３４と上面板３５を一体的に設けて凹陥部３６を形成しているが、上面板３５を下部３３と別体とし、その上面板３５をねじ止めすることで凹陥部３６を形成するようにしても良い。
また、前述の下シール材２１と下シール材２２は成形したシール材とし、屋根板４の下面と中間横板３２、屋根板支持片１５との間に押し込むようにして装着するものとしても良い。
【図面の簡単な説明】
【００２２】
【図１】テラスの平面図である。
【図２】テラスの側面図である。
【図３】図１のＡ−Ａ拡大断面図である。
【図４】図１のＢ−Ｂ拡大断面図である。
【図５】図４のＣ−Ｃ断面図である。
【図６】前枠が回転変位した状態の説明図である。
【図７】前枠と垂木の分解斜視図である。
【符号の説明】
【００２３】
１…前枠、１ａ…本体部、１ｂ…雨樋部、１ｃ…垂木取付部、１ｄ…支持突部（係合部）、２…後枠、３…垂木、３ａ…前枠取付部、３ｂ…支持凹部（被係合部）、３ｃ…屋根板支持部、４…屋根板、８…ねじ、９…支持凹部の支持突部が当たる面、１５…屋根板支持片、１５ａ…残存部分。
【図１】
2008231871.tif 000003
【図２】
2008231871.tif 000004
【図３】
2008231871.tif 000005
【図４】
2008231871.tif 000006
【図５】
2008231871.tif 000007
【図６】
2008231871.tif 000008
【図７】
2008231871.tif 000009